(57)【要約】      （修正有）【課題】液体が変質することを防ぎ、泡状に噴射する噴射装置を提供する。【解決手段】第二気体弁３２は一端が第一ピストンユニット２に挿設し、第一気体弁３１と貫通接続し、上方に当接体を具えてなり、当接体は第一気体弁が下方に向けて運動すると、密封体と離れて気体が進入する隙間を形成し、桿体４が、上部が第二気体弁の柱体に挿設され、外周面上には複数の軸方向に向けて溝を設けてなり、下方底端には密封状の当接体を設けてなり、第二ピストンユニット５が、桿体に隣接する密封端の外周面上に接続し、第二ピストンユニットが往復運動で該溝を遮断するか、溝を露出するかを選択でき、気体缶６は上方が広く、下方が狭く次第に縮小していく貫通した管体からなり、該気体缶には口径が比較的広い上方気体室６１及び口径が比較的狭い下方気体室６２とを具えてなり、該下方気体室は内部に第二ピストンユニット、桿体を設けてなる。【選択図】図１
0003164656.tif 000002
【実用新案登録請求の範囲】
【請求項１】
押し圧体と、第一ピストンユニットと、気体弁セットと、桿体と、第二ピストンユニットと、気体缶と、弾性体と、弾性弁と、を含んでなり、
該押し圧体は、泡状に噴射するために供する噴射ノズルと、内部に設けられた設置空間と、該設置空間に設けられたろ過管とを含んでなり、
該第一ピストンユニットが中空の環状体からなり、一端に上端開口部が設けられ、他端には下方開口部が設けられ、該下方開口部には内部環状に密封体を設けてなり、
該気体弁セットがいずれも中空の管状に形成され、第一気体弁と、第二気体弁とを含んでなり、第一気体弁は一端が第一ピストンユニットに挿設され、他端がろ過管及び押し圧体に挿設し、第二気体弁は一端が第一ピストンユニットに挿設し、第一気体弁と貫通接続し、上方に当接体を具えてなり、当接体は第一気体弁が下方に向けて運動すると、密封体と離れて気体が進入する隙間を形成し、
該桿体が、上部が第二気体弁の柱体に挿設され、外周面上には複数の軸方向に向けて溝を設けてなり、下方底端には密封状の当接体を設けてなり、
第二ピストンユニットが、桿体に隣接する密封端の外周面上に接続し、第二ピストンユニットが往復運動で該溝を遮断するか、溝を露出するかを選択でき、
気体缶は上方が広く、下方が狭く次第に縮小していく貫通した管体からなり、該気体缶には口径が比較的広い上方気体室及び口径が比較的狭い下方気体室とを具えてなり、該下方気体室は内部に第二ピストンユニット、桿体を設けてなり、下方気体室が下方に経路を設けてなり、
該弾性体が、気体缶の上方気体室内に設けられ、該弾性体の一端が第二気体弁の上端に隣接し、他端が気体缶の上方気体室の底部に当接して、上方への回復力を提供し、
該弾性弁が、螺旋状の弁体で、気体缶の下方気体室内に設けて経路が上方に向けて開き、下向きに閉じる往復運動を実施することを特徴とする噴射装置。
【請求項２】
前記噴射装置が、固定部材を含んでなり、該固定部材が押し圧部材と互いに接続し、容器の上方に接続して噴射装置と容器とが接続固定されることを特徴とする請求項１に記載の噴射装置。
【請求項３】
前記固定部材が、内側端縁部に容器と接続するために供するネジ部材を設けてなることを特徴とする請求項２に記載の噴射装置。
【請求項４】
前記第二気体弁が、上方に向けて第一気体弁に挿設する接続部と、下方に向けて中空の管体の管状部を形成し、該接続部が第一気体弁の外壁との間に排気口を形成することを特徴とする請求項１に記載の噴射装置。
【請求項５】
前記第二気体弁の接続部が、内部に混合空間を設けてなることを特徴とする請求項４に記載の噴射装置。
【請求項６】
前記気体缶の下方気体室が、下方に接続口を設けてなることを特徴とする請求項１に記載の噴射装置。
【請求項７】
前記接続口が、容器内の液体に向けて延伸した吸入管を接続してなることを特徴とする請求項６に記載の噴射装置。
【請求項８】
前記弾性弁が、貫通孔の第一端縁部を含んでなり、経路を閉じることができる第二端縁部と、第一端縁部と第二端縁部との間に設けられた中空の弾性部材を設けてなることを特徴とする請求項１に記載の噴射装置。
【請求項９】
前記ろ過管が、両端をそれぞれ第一ろ過ネットと第二ろ過ネットとに被覆されてなることを特徴とする請求項１に記載の噴射装置。
【請求項１０】
前記第一ろ過ネットと第二ろ過ネットが、それぞれ目の細かいネットと、粗いネットからなることを特徴とする請求項９に記載の噴射装置。
【請求項１１】
前記第一気体弁が、内側端縁部に気体が進入する孔を複数設けてなり、第一ピストンユニットの上端の開口部外側端縁部に位置し、第一気体弁が下方に運動すると、孔が閉じられる構造からなることを特徴とする請求項１に記載の噴射装置。
【請求項１２】
前記押し圧体の設置空間が、内側端縁部に凹部と設けてなり、第一気体弁の一端の外側端縁部には該凹部に合わせて凸部が設けられ、第一気体弁と押し圧体とが互いに接続することを特徴とする請求項１に記載の噴射装置。
【請求項１３】
前記密封体が、内側に延伸、縮小した開口状を停止、弾性パッドが第一気体弁の外径面上に設けられ、気体缶の上方気体室の気体を密封された状態にする構造からなることを特徴とする請求項１に記載の噴射装置。
【考案の詳細な説明】
【技術分野】
【０００１】
この考案は、噴射装置であって、特に泡状の液体を噴射することができる噴射装置に関する。
【背景技術】
【０００２】
一般的に見られる噴射装置１００は、図５に開示するように、噴射ノズル１０１ａを具えた噴射ヘッド１０１と、該噴射ヘッド１０１下方に設けられた接続管１０２と、該接続管１０２に穿設された吸入管１０３と、該吸入管１０３の底端に接続して設けられた円錐部材１０４と、円錐部材１０４の底部に穿設された座管１０５と、該座管１０５の外周面の二つの側面に対向して設けられ、円錐部材１０４に被覆された孔１０５ａと、座管１０５の末端に設けられたバネ１０６と、該バネ１０６の下方に設けられたボール１０７と、吸入管１０３を供するための設置管１０８とを含んでなる。
【０００３】
円錐部材１０４、座管１０５、バネ１０６、ボール１０７の順に上から下へ管内に設けられる。また、設置管１０８の底端には軟性管１０９が設けられる。
【０００４】
上述のような構造からなり、使用する場合、先に噴射ヘッド１０１を押すと、容器内の空気が一瞬で噴射ヘッド１０１の噴射ノズル１０１ａから噴射される。
【０００５】
同時にサイフォンの効果で、噴射装置内の乳液、或いは香水などが空気とともに、軟性管１０９から設置管１０８内に進入する。
【０００６】
この時、バネ１０６の伸縮弾性力により、座管１０５の底部がボール１０７を押し圧し、ボール１０７が設置管１０８の開口を塞ぎ、座管１０５と円錐部材１０４との間に隙間が発生する。
【０００７】
設置管１０８内の乳液、或いは香水が隙間から座管１０５外周面の孔１０５ａから座管１０５内にスムーズに入る。
【０００８】
さらに吸入管１０３から乳液、或いは香水が空気とともに、噴射ヘッド１０１の噴射ノズル１０１ａから噴射される。
【０００９】
噴射ヘッド１０１を開くと、設置管１０８内に残留している乳液、或いは香水が容器内に戻る。
【００１０】
上述のように、従来の噴射装置１００は、乳液、或いは香水を噴射する目的を達成することができるが、構造がいずれも瓶内の液体を吸入する装置である。
【００１１】
よって、前述の装置は、液体を吸入するだけで、液体と気体を同時に吸入することができない。
【００１２】
このため、食器洗い、シャンプーなど泡状で使用する場合には、前述の吸入装置で洗剤、シャンプー液などを吸入した後、使用者が手で泡状にしなければならない。
【００１３】
しかしながら、通常、洗剤、或いはシャンプー液の使用量は把握し難く、特に洗剤は使用量が多すぎて確実に洗浄しないと、碗など食器上に残留して人体に影響を与える。
【００１４】
さらに、バネ１０６、ボール１０７など金属の部材がいずれも設置管１０８内に設けられているため、容器内の液体が長時間金属部材に接触し、液体が化学変化を起こし易い。
【００１５】
よって、液体が変質し、使用者が気づかない内に変質した液体を使用し易いため、人体及び生命の安全に影響を与える。
【考案の開示】
【考案が解決しようとする課題】
【００１６】
この考案は、液体が変質することを防ぎ、泡状に噴射することができる噴射装置を提供することを課題とする。
【課題を解決するための手段】
【００１７】
そこで、本考案者は従来の技術に見られる欠点に鑑みて鋭意研究を重ねた結果、押し圧体と、第一ピストンユニットと、気体弁セットと、桿体と、第二ピストンユニットと、気体缶と、弾性体と、弾性弁と、を含んでなり、
該押し圧体は、泡状に噴射するために供する噴射ノズルと、内部に設けられた設置空間と、該設置空間に設けられたろ過管とを含んでなり、
該第一ピストンユニットが中空の環状体からなり、一端に上端開口部が設けられ、他端には下方開口部が設けられ、該下方開口部には内部環状に密封体を設けてなり、
該気体弁セットがいずれも中空の管状に形成され、第一気体弁と、第二気体弁とを含んでなり、第一気体弁は一端が第一ピストンユニットに挿設され、他端がろ過管及び押し圧体に挿設し、第二気体弁は一端が第一ピストンユニットに挿設し、第一気体弁と貫通接続し、上方に当接体を具えてなり、当接体は第一気体弁が下方に向けて運動すると、密封体と離れて気体が進入する隙間を形成し、
該桿体が、上部が第二気体弁の柱体に挿設され、外周面上には複数の軸方向に向けて溝を設けてなり、下方底端には密封状の当接体を設けてなり、
第二ピストンユニットが、桿体に隣接する密封端の外周面上に接続し、第二ピストンユニットが往復運動で該溝を遮断するか、溝を露出するかを選択でき、
気体缶は上方が広く、下方が狭く次第に縮小していく貫通した管体からなり、該気体缶には口径が比較的広い上方気体室及び口径が比較的狭い下方気体室とを具えてなり、該下方気体室は内部に第二ピストンユニット、桿体を設けてなり、下方気体室が下方に経路を設けてなり
該弾性体が、気体缶の上方気体室内に設けられ、該弾性体の一端が第二気体弁の上端に隣接し、他端が気体缶の上方気体室の底部に当接して、上方への回復力を提供し、
該弾性弁が、螺旋状の弁体で、気体缶の下方気体室内に設けて経路が上方に向けて開き、下向きに閉じる往復運動を実施する噴射装置によって課題を解決できる点に着眼し、かかる知見に基づいて本考案を完成させた。
【００１８】
以下、この考案について具体的に説明する。
請求項１に記載する噴射装置は、押し圧体と、第一ピストンユニットと、気体弁セットと、桿体と、第二ピストンユニットと、気体缶と、弾性体と、弾性弁と、を含んでなり、
該押し圧体は、泡状に噴射するために供する噴射ノズルと、内部に設けられた設置空間と、該設置空間に設けられたろ過管とを含んでなり、
該第一ピストンユニットが中空の環状体からなり、一端に上端開口部が設けられ、他端には下方開口部が設けられ、該下方開口部には内部環状に密封体を設けてなり、
該気体弁セットがいずれも中空の管状に形成され、第一気体弁と、第二気体弁とを含んでなり、第一気体弁は一端が第一ピストンユニットに挿設され、他端がろ過管及び押し圧体に挿設し、第二気体弁は一端が第一ピストンユニットに挿設し、第一気体弁と貫通接続し、上方に当接体を具えてなり、当接体は第一気体弁が下方に向けて運動すると、密封体と離れて気体が進入する隙間を形成し、
該桿体が、上部が第二気体弁の柱体に挿設され、外周面上には複数の軸方向に向けて溝を設けてなり、下方底端には密封状の当接体を設けてなり、
第二ピストンユニットが、桿体に隣接する密封端の外周面上に接続し、第二ピストンユニットが往復運動で該溝を遮断するか、溝を露出するかを選択でき、
気体缶は上方が広く、下方が狭く次第に縮小していく貫通した管体からなり、該気体缶には口径が比較的広い上方気体室及び口径が比較的狭い下方気体室とを具えてなり、該下方気体室は内部に第二ピストンユニット、桿体を設けてなり、下方気体室が下方に経路を設けてなり
該弾性体が、気体缶の上方気体室内に設けられ、該弾性体の一端が第二気体弁の上端に隣接し、他端が気体缶の上方気体室の底部に当接して、上方への回復力を提供し、
該弾性弁が、螺旋状の弁体で、気体缶の下方気体室内に設けて経路が上方に向けて開き、下向きに閉じる往復運動を実施する。
【００１９】
請求項２に記載の噴射装置は、請求項１における噴射装置が、固定部材を含んでなり、該固定部材が押し圧部材と互いに接続し、容器の上方に接続して噴射装置と容器とが接続固定される。
【００２０】
請求項３に記載の噴射装置は、請求項２における固定部材が、内側端縁部に容器と接続するために供するネジ部材を設けてなる。
【００２１】
請求項４に記載の噴射装置は、請求項１における第二気体弁が、上方に向けて第一気体弁に挿設する接続部と、下方に向けて中空の管体の管状部を形成し、該接続部が第一気体弁の外壁との間に排気口を形成する。
【００２２】
請求項５に記載の噴射装置は、請求項４における第二気体弁の接続部が、内部に混合空間を設けてなる。
【００２３】
請求項６に記載の噴射装置は、請求項１における気体缶の下方気体室が、下方に接続口を設けてなる。
【００２４】
請求項７に記載の噴射装置は、請求項６における接続口が、容器内の液体に向けて延伸した吸入管を接続してなる。
【００２５】
請求項８に記載の噴射装置は、請求項１における弾性弁が、貫通孔の第一端縁部を含んでなり、経路を閉じることができる第二端縁部と、第一端縁部と第二端縁部との間に設けられた中空の弾性部材を設けてなる。
【００２６】
請求項９に記載の噴射装置は、請求項１におけるろ過管が、両端をそれぞれ第一ろ過ネットと第二ろ過ネットとに被覆されてなる。
【００２７】
請求項１０に記載の噴射装置は、請求項９における第一ろ過ネットと第二ろ過ネットが、それぞれ目の細かいネットと、粗いネットからなる。
【００２８】
請求項１１に記載の噴射装置は、請求項１における第一気体弁が、内側端縁部に気体が進入する孔を複数設けてなり、第一ピストンユニットの上端の開口部外側端縁部に位置し、第一気体弁が下方に運動すると、孔が閉じられる構造からなる。
【００２９】
請求項１２に記載の噴射装置は、請求項１における押し圧体の設置空間が、内側端縁部に凹部と設けてなり、第一気体弁の一端の外側端縁部には該凹部に合わせて凸部が設けられ、第一気体弁と押し圧体とが互いに接続する。
【００３０】
請求項１３に記載の噴射装置は、請求項１における密封体が、内側に延伸、縮小した開口状を停止、弾性パッドが第一気体弁の外径面上に設けられ、気体缶の上方気体室の気体を密封された状態にする構造からなる。
【考案の効果】
【００３１】
この考案の噴射装置は、容器内の液体の変質を防ぐため、安全で、泡状に噴射できるため実用的であるという効果を有する。
【考案を実施するための最良の形態】
【００３２】
この考案は、液体が変質することを防ぎ、泡状に噴射することができる噴射装置であって、押し圧体と、第一ピストンユニットと、気体弁セットと、桿体と、第二ピストンユニットと、気体缶と、弾性体と、弾性弁と、を含んでなり、
該押し圧体は、泡状に噴射するために供する噴射ノズルと、内部に設けられた設置空間と、該設置空間に設けられたろ過管とを含んでなり、
該第一ピストンユニットが中空の環状体からなり、一端に上端開口部が設けられ、他端には下方開口部が設けられ、該下方開口部には内部環状に密封体を設けてなり、
該気体弁セットがいずれも中空の管状に形成され、第一気体弁と、第二気体弁とを含んでなり、第一気体弁は一端が第一ピストンユニットに挿設され、他端がろ過管及び押し圧体に挿設し、第二気体弁は一端が第一ピストンユニットに挿設し、第一気体弁と貫通接続し、上方に当接体を具えてなり、当接体は第一気体弁が下方に向けて運動すると、密封体と離れて気体が進入する隙間を形成し、
該桿体が、上部が第二気体弁の柱体に挿設され、外周面上には複数の軸方向に向けて溝を設けてなり、下方底端には密封状の当接体を設けてなり、
第二ピストンユニットが、桿体に隣接する密封端の外周面上に接続し、第二ピストンユニットが往復運動で該溝を遮断するか、溝を露出するかを選択でき、
気体缶は上方が広く、下方が狭く次第に縮小していく貫通した管体からなり、該気体缶には口径が比較的広い上方気体室及び口径が比較的狭い下方気体室とを具えてなり、該下方気体室は内部に第二ピストンユニット、桿体を設けてなり、下方気体室が下方に経路を設けてなり
該弾性体が、気体缶の上方気体室内に設けられ、該弾性体の一端が第二気体弁の上端に隣接し、他端が気体缶の上方気体室の底部に当接して、上方への回復力を提供し、
該弾性弁が、螺旋状の弁体で、気体缶の下方気体室内に設けて経路が上方に向けて開き、下向きに閉じる往復運動を実施する噴射装置の構造と特徴を詳述するために具体的な実施例を挙げ、図示を参照にして以下に説明する。
【実施例】
【００３３】
図１及び図２は、この考案の噴射装置を示したものである。
【００３４】
図面によれば、この考案の噴射装置１０は、泡状に噴射する噴射装置であって、押し圧体１を含んでなる。
【００３５】
該押し圧体１は、泡状に噴射するために供する噴射ノズル１１と、内部に、設けられた設置空間１２と、該設置空間１２に設けられたろ過管１３とを含んでなる。
【００３６】
該ろ過管１３は、両端縁部がそれぞれ第一ろ過ネット１３１と、第二ろ過ネット１３２とに被覆して設けられる。
【００３７】
この考案の実施形態では、第一ろ過ネット１３１が比較的目の細かいネットであって、第二ろ過ネット１３２は、目の粗いネットからなる。
【００３８】
第一ピストンユニット２は、中空の環状体からなり、一端に上端開口部２１が設けられ、他端には下方開口部２２が設けられる。該下方開口部２２には内部環状に密封体２２１を設けてなる。
【００３９】
該密封体２２１は、内側に延伸、縮小した開口状を呈する。
【００４０】
弾性パッドは第一気体弁３１の外径面上に設けられ、気体缶６の上方気体室６１が気体を密封した状態にする。
【００４１】
気体弁セット３は、いずれも中空の管状で第一気体弁３１及び第二気体弁３２とを具えてなる。
【００４２】
第一気体弁３１は、一端が第一ピストンユニット２に挿設され、他端がろ過管１３及び押し圧体１に挿設する。
【００４３】
第二気体弁３２は、第一ピストンユニット２に挿設し、第一気体弁３１と貫通接続するとともに、上方に向けて第一気体弁に挿設する接続部３２１と、下方に向けて中空の管体の管状部３２２を形成する。
【００４４】
該接続部３２１は第一気体弁３１の外壁との間に排気口３３を形成し、且つ接続部３２１の内部には混合空間３５とを具えてなる。
【００４５】
第二気体弁３２は上方に当接体３２３を具えてなる。該当接体３２３は第一気体弁３１が下方に向けて運動すると、密封体２２１と離れて気体が進入する隙間３４を形成する。
【００４６】
桿体４は、上部が第二気体弁３２の管状部３２２の柱体４１に挿設し、外周面上には複数の軸方向に向けて溝４１１を設けてなり、下方底端には密封状の当接体４２を設けてなる。
【００４７】
第二ピストンユニット５は、桿体４に隣接する密封端の外周面上に接続する。
【００４８】
第二ピストンユニット５は、往復運動で該溝４１１を遮断するか、溝４１１を露出するかを選択する。
【００４９】
気体缶６は、上方が広く、下方が狭く次第に縮小していく貫通した管体からなる。
【００５０】
該気体缶には口径が比較的広い上方気体室６１及び口径が比較的狭い下方気体室６２とを具えてなる。
【００５１】
該下方気体室６２は、第二ピストンユニット、桿体を収納して設けてなる。また、下方気体室６２は下方に経路６２１を設けてなり、接続口６２２を設けて容器２０に延伸した吸入管６３に接続する。
【００５２】
弾性体７は、気体缶６の上方気体室６１内に設けられる。該弾性体７は一端が第二気体弁３２の上端に隣接し、他端が気体缶６の上方気体室６１の底部に当接して、上方への回復力を提供する。
【００５３】
弾性弁８は、螺旋状の弁体で、気体缶６の下方気体室６２内に設けられる。該弾性弁８は、貫通孔８１１の第一端縁部８１を含んでなり、経路６２１の第二端縁部８２と、第一端縁部８１と第二端縁部８２との間に設けられた中空の弾性部材８３とを具えてなり、経路６２１が上方に向けて開き、下向きに閉じる往復運動を実施する。
【００５４】
上述の押し圧体１と、第一ピストンユニット２と、気体弁セット３と、桿体４と、第二ピストンユニット５と、気体缶６と、弾性体７と、弾性弁８などを組み合わせた後、固定部材９を利用して容器２０と接続する。
【００５５】
固定部材９は、ネジ部材９１の薄いケース体を具えてなり、押し圧体１と互いに組み合わせて接続して固定する目的を達成することができる。
【００５６】
上述のように、第一気体弁３１は内側端縁部に気体が進入する孔３１１を複数設けてなり、第一ピストンユニット２の上端の開口部２１の外側端縁部に位置し、第一気体弁３１が下方に運動すると、該孔３１１が閉じられる。
【００５７】
押し圧体１の設置空間１２は内側端縁部に凹部１２１を設けてなる。第一気弁３１の一端の外側端縁部には該凹部１２１に合わせて凸部３１２が設けられ、第一気弁３１と押し圧体１とを組み合わせて接続することができる。
【００５８】
図３に開示するように、この考案の押し圧体１は下向きの圧力を受けると、第一気弁３１と第二気弁３２とを動かし、次第に下降させる。
【００５９】
この時、桿体４が第二気弁３２の圧力を受けて連動し、次第に下降し、気体缶６の下方気体室６２内の空間が次第に圧縮される。
【００６０】
液体の圧力が大きくなるため、弾性弁８の第二端縁部８２が下方に移動して気体缶６の経路６２１を塞ぎ、下方気体室６２が密閉された状況になる。
【００６１】
よって、桿体４の当接体４２と第二ピストンユニット５とが離れて、桿体４の溝４１１が露出し、出口が形成され、下方気体室６２内部の液体が瞬時に高圧を受けて第二気弁３２により液体が混合空間３５内に移動する。
【００６２】
同時に、第二気体弁３２の当接体３２３と密封体２２１とが次第に離れて隙間３４が形成される。
【００６３】
引き続き押し圧する過程で第一気体弁３１の孔３１１が第一ピストンユニット２の上端の開口部２１の外周端縁部と次第に接触し、該孔３１１が塞がれる。
【００６４】
同時に、第一ピストンユニット２が次第に気体缶６の上方気体室６１の空間を圧縮する。
【００６５】
この時、上方気体室６１内の気体が圧力を受けて隙間３４から排気口３３に進入し、第二気体弁３２の混合空間３５内に達し、液体と気体が混合してろ過管１３を介して泡となって噴射ノズル１１から噴射される。
【００６６】
押し圧して泡を噴射する過程では、気弁セット３が直接、押し圧体１に接続し、押し圧体１の圧力を直接受けるため、すばやく反応し、機敏に往復運動をする。
【００６７】
図４に開示するように、一度押し圧して押し圧体１を開放すると、弾性体７の回復力で第一気体弁３１と第二気体弁３２とが桿体４を上方へ動かす。
【００６８】
同時に、第一気体弁３１の孔３１１と第一ピストンユニット２の上端の開口部２１の外周縁部とが離れて、孔３１１が次第に貫通する。
【００６９】
第二気体弁３２の当接体３２３と密封体２２１とが次第に閉じ合わさる。密封体２２１が第一気体弁３１と密接に結束し、気体缶６の上方気体室６１の気体が密封される。
【００７０】
第二気体弁３２が第一ピストンユニット２を上方に動かし続けるとともに、上方気体室６１の空間が広がり、外部の空気が孔３１１から上方気体室６１内に吸入される。
【００７１】
同時に、第二気体弁３２の上昇が桿体４を常に上昇させて、桿体４の当接体４２と第二ピストンユニット５とが密封された状態にする。
【００７２】
下方気体室６２の圧力が外部よりも低くなると、液体が気体缶６２の経路６２１上の第二端縁部８２から自然と離し、弾性弁８の貫通孔８１１から下方気体缶６２内に組み入れられ、次の押し圧操作を待機した状態になる。
【００７３】
この考案の噴射装置は、金属部材（弾性体７）と液体とを離れた位置に設けているため、液体が金属部材に接触することがなく、容器内の液体の品質を維持することができて、泡状に噴射することができる。
【００７４】
気弁セット３は直接、押し圧体１と組み合わせて接続され、気弁セット３が直接押し圧体１の圧力を受ける。
【００７５】
よって、従来の噴射装置に比べてすばやく反応し、往復動作を機敏に行うことができる。
【００７６】
密封体２１を利用して第一気体弁３１が緊密に結束し、気体缶６の上方気体室６１の気体を密封した状態にするため、従来の噴射装置よりも好ましい密封状態を形成することができる。
【００７７】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００７８】
【図１】この考案の噴射装置を示した分解図である。
【図２】この考案の噴射装置を示した断面図である。
【図３】この考案の噴射装置を作動した状態を示した説明図である。
【図４】この考案の噴射装置を作動した状態を示した他の説明図である。
【図５】従来の噴射装置を示した分解図である。
【符号の説明】
【００７９】
１         押し圧体
１０       噴射装置
１００     噴射装置
１０１     噴射ヘッド
１０１ａ   噴射ノズル
１０２     接続管
１０３     吸入管
１０４     円錐部材
１０５     座管
１０５ａ   孔
１０６     バネ
１０７     ボール
１０８     設置管
１０９     軟性管
１１       噴射ノズル
１２       設置空間
１２１     凹部
１３       ろ過管
１３１     第一ろ過ネット
１３２     第二ろ過ネット
２         第一ピストンユニット
２１       上端開口部
２２       下方開口部
２２１     密封体
３         気体弁セット
３１       第一気体弁
３１１     孔
３１２     凸部
３２       第二気体弁
３２１     接続部
３２２     管状部
３２３     当接体
３３       排気口
３４       隙間
３５       混合空間
４         桿体
４１       柱体
４１１     溝
４２       当接体
５         第二ピストンユニット
６         気体缶
６１       上方気体室
６２       下方気体室
６２１     経路
６２２     接続口
６３       吸入管
７         弾性体
８         弾性弁
８１       第一端縁部
８１１     貫通孔
８２       第二端縁部
８３       弾性部材
９         固定部材
９１       ネジ部材
【図１】
0003164656.tif 000003
【図２】
0003164656.tif 000004
【図３】
0003164656.tif 000005
【図４】
0003164656.tif 000006
【図５】
0003164656.tif 000007